(57)【要約】【課題】上部旋回体などの内外を貫通する貫通部材が貫通する貫通孔から雨水等が上部旋回体の内部などに浸入するのを確実に防止する。【解決手段】建設機械は、旋回体フレーム上に、運転室、作業手段、エンジン、油圧機器類、及び前記エンジンや油圧機器類を覆う建屋を備える上部旋回体と、この上部旋回体の内外を貫通する貫通孔３３と、この貫通孔を貫通して設けられた貫通部材３０とを備えている。また、前記貫通部材の前記貫通孔よりも外側の部分に取り付けられた鍔状部材３５と、前記貫通孔を設けた部材に取り付けられ前記貫通孔及び前記鍔状部材を上方から覆うように設けられた庇状部材３６とを備えている。【選択図】図５
2013147800.tif 000002
【特許請求の範囲】
【請求項１】
旋回体フレーム上に、運転室、作業手段、エンジン、油圧機器類、及び前記エンジンや油圧機器類を覆う建屋を備える上部旋回体と、この上部旋回体の内外を貫通する貫通孔と、この貫通孔を貫通して設けられた貫通部材とを備える建設機械において、
前記貫通部材の前記貫通孔よりも外側の部分に取り付けられた鍔状部材と、
前記貫通孔を設けた部材に取り付けられ前記貫通孔及び前記鍔状部材を上方から覆うように設けられた庇状部材と、
を備えることを特徴とする建設機械。
【請求項２】
請求項１に記載の建設機械において、前記旋回体フレームの前部には収納ボックスが設けられており、この収納ボックスの前面板にはステップが設けられ、更に前記貫通部材はハンドレールであって、このハンドレールが貫通する貫通孔が前記前面板に形成され、前記ハンドレールの端部は前記旋回体フレームを構成しているＤフレームに固定されていることを特徴とする建設機械。
【請求項３】
請求項２に記載の建設機械において、前記貫通孔が設けられている前記収納ボックスの前面板は前方に向けて立ち上がる方向に傾斜する形状になっており、この傾斜した前面板と直交するように前記ハンドレールの貫通部分を構成し、前記庇状部材は逆Ｕ字状または円筒状に構成されて前記前面板に取り付けられていることを特徴とする建設機械。
【請求項４】
旋回体フレーム上に、運転室、作業手段、エンジン、油圧機器類、及び前記エンジンや油圧機器類を覆う建屋を備える上部旋回体と、この上部旋回体の内外を貫通する上下方向の貫通孔と、この貫通孔を貫通して上下方向に設けられた貫通部材とを備える建設機械において、
前記貫通部材の前記貫通孔よりも上方の部分に取り付けられると共に前記貫通孔を覆うように設けられた鍔状部材と、
前記貫通孔の上部側周囲を囲むように該貫通孔を設けた部材に取り付けられ且つ前記鍔状部材に上方が覆われるように構成されたリング状部材と、
を備えることを特徴とする建設機械。
【請求項５】
運転室、作業手段、エンジン、油圧機器類、及び前記エンジンや油圧機器類を覆う建屋と、この建屋の内外を貫通する貫通孔と、この貫通孔を貫通して設けられた貫通部材と、前記貫通孔に設けられ前記貫通部材との間を密封するシール部材を備える建設機械において、
前記貫通部材の前記貫通孔よりも外側の部分に取り付けられ該貫通部材を伝わって雨水が前記貫通孔へ浸入するのを防止する第１の雨水等浸入防止部材と、
前記貫通孔を設けた貫通孔設置部材に取り付けられ該貫通孔設置部材を伝わって雨水が前記貫通孔へ浸入するのを防止する第２の雨水等浸入防止部材と、
を備えることを特徴とする建設機械。
【発明の詳細な説明】
【技術分野】
【０００１】
本発明は、上部旋回体の内外を貫通するハンドレールなどの貫通部材を備える建設機械に関し、特に前記貫通部材が貫通する貫通孔から雨水などが内部に浸入するのを防止する防水構造に関する。
【背景技術】
【０００２】
上部旋回体に設けたタンクや建屋の上に昇り降りするために設けられるハンドレールを備えている建設機械としては特許文献１（特開２００７−４６４０５号公報）に開示されたものがある。この特許文献１のものには、上部旋回体に装着したハンドレールを低い位置で把持可能にするための構造が記載されている。
【０００３】
また、この特許文献１には、前記ハンドレール（貫通部材）の直線部とその貫通孔との間の隙間に円環状のシール部材を装着することにより、収納ボックス（工具箱）の内部をシールし、雨水等の浸入を防止することが記載されている。
【先行技術文献】
【特許文献】
【０００４】
【特許文献１】特開２００７−４６４０５号公報
【発明の概要】
【発明が解決しようとする課題】
【０００５】
しかし、上記特許文献１のものでは、前記シール部材の製造時の品質のバラつき、長期間の使用による劣化や硬化等により、前記シール部材の密封機能を十分に果たせず、該シール部材とハンドレールとの間や、シール部材と貫通孔との間に隙間が発生することがある。この隙間が生じると、前記ハンドレールや、前記貫通孔を設けている貫通孔設置部材（前面板）を伝わって流れる雨水等が、前記隙間から収納ボックスの内部に浸入するのを防止できなくなるという課題がある。
【０００６】
本発明の目的は、上部旋回体などの内外を貫通する貫通部材が貫通する貫通孔から雨水等が上部旋回体などの内部に浸入するのを確実に防止することのできる建設機械を得ることにある。
【課題を解決するための手段】
【０００７】
上記目的を達成するため、本発明は、旋回体フレーム上に、運転室、作業手段、エンジン、油圧機器類、及び前記エンジンや油圧機器類を覆う建屋を備える上部旋回体と、この上部旋回体の内外を貫通する貫通孔と、この貫通孔を貫通して設けられた貫通部材とを備える建設機械において、前記貫通部材の前記貫通孔よりも外側の部分に取り付けられた鍔状部材と、前記貫通孔を設けた部材に取り付けられ前記貫通孔及び前記鍔状部材を上方から覆うように設けられた庇状部材とを備えることにある。
【０００８】
ここで、前記旋回体フレームの前部には収納ボックスが設けられており、この収納ボックスの前面板にはステップが設けられ、更に前記貫通部材はハンドレールであって、このハンドレールが貫通する貫通孔が前記前面板に形成され、前記ハンドレールの端部は前記旋回体フレームを構成しているＤフレームに固定するように構成すると良い。
【０００９】
更に、前記貫通孔が設けられている前記収納ボックスの前面板は前方に向けて立ち上がる方向に傾斜する形状になっており、この傾斜した前面板と直交するように前記ハンドレールの貫通部分を構成し、前記庇状部材は逆Ｕ字状または円筒状に構成されて前記前面板に取り付けられるように構成するとなお好ましい。
【００１０】
本発明の他の特徴は、旋回体フレーム上に、運転室、作業手段、エンジン、油圧機器類、及び前記エンジンや油圧機器類を覆う建屋を備える上部旋回体と、この上部旋回体の内外を貫通する上下方向の貫通孔と、この貫通孔を貫通して上下方向に設けられた貫通部材とを備える建設機械において、前記貫通部材の前記貫通孔よりも上方の部分に取り付けられると共に前記貫通孔を覆うように設けられた鍔状部材と、前記貫通孔の上部側周囲を囲むように該貫通孔を設けた部材に取り付けられ且つ前記鍔状部材に上方が覆われるように構成されたリング状部材とを備えることにある。
【００１１】
本発明の更に他の特徴は、運転室、作業手段、エンジン、油圧機器類、及び前記エンジンや油圧機器類を覆う建屋と、この建屋の内外を貫通する貫通孔と、この貫通孔を貫通して設けられた貫通部材と、前記貫通孔に設けられ前記貫通部材との間を密封するシール部材を備える建設機械において、前記貫通部材の前記貫通孔よりも外側の部分に取り付けられ該貫通部材を伝わって雨水が前記貫通孔へ浸入するのを防止する第１の雨水等浸入防止部材と、前記貫通孔を設けた貫通孔設置部材に取り付けられ該貫通孔設置部材を伝わって雨水が前記貫通孔へ浸入するのを防止する第２の雨水等浸入防止部材とを備えることにある。
【発明の効果】
【００１２】
本発明によれば、上部旋回体などの内外を貫通する貫通部材が貫通する貫通孔から雨水などが上部旋回体などの内部に浸入するのを確実に防止することのできる建設機械を得ることができる。
【図面の簡単な説明】
【００１３】
【図１】本発明の建設機械の一例としての油圧ショベルの全体構成図である。
【図２】図１に示す上部旋回体のハンドレール付近の構成を説明する要部斜視図である。
【図３】図２の側面図である。
【図４】図３のIV−IV断面図である。
【図５】図４の矢印Ａ方向から見た図で、ハンドレールの貫通部のみ断面で示す図である。
【図６】図５に示すハンドレール貫通部をVI−VI線方向から見た断面図である。
【図７】本発明の建設機械の実施例２を示す図で、図３に相当する図である。
【図８】図７の要部拡大図で、ミラー取付ステーの貫通部のみ断面で示す図である。
【図９】本発明の建設機械の実施例３を示す図で、ハンドレールの上端固定部付近の構成を説明する断面図である。
【発明を実施するための形態】
【００１４】
以下、本発明の建設機械の具体的実施例を、図面を用いて説明する。なお、各図において、同一符号を付した部分は同一或いは相当する部分を示している。
【実施例１】
【００１５】
本発明の建設機械の実施例１を図１〜図６により説明する。図１は、本発明の建設機械の一例としての油圧ショベルの全体構成図、図２は図１に示す上部旋回体のハンドレール付近の構成を説明する要部斜視図、図３は図２の側面図、図４は図３のIV−IV断面図、図５は図４の矢印Ａ方向から見た図で、ハンドレールの貫通部のみ断面で示す図、図６は図５に示すハンドレール貫通部をVI−VI線方向から見た断面図である。
【００１６】
図１において、１は履帯式の走行手段１ａを左右一対備えた下部走行体、２はこの下部走行体１上に旋回装置３を介して装着した上部旋回体である。この上部旋回体２は、運転室１２、作業手段１１、エンジン、油圧機器類、及び前記エンジンや油圧機器類を覆う建屋１３などを備えている。
【００１７】
即ち、前記上部旋回体２は旋回体フレーム１０を有し、この旋回体フレーム１０には掘削するための前記作業手段１１が設けられている。この作業手段１１に隣接する位置に前記運転室１２が設置されている。また、運転室１２の後方位置にはエンジンルーム等を含む前記建屋１３が設けられ、前記作業手段１１を挟んで前記運転室１２とは反対側の位置には、図２に示すように、燃料タンク１４及び作動油タンク１５が設置されている。そして、旋回体フレーム１０の最後方の位置にはカウンタウエイト１６が載置されている。
【００１８】
機械のメンテナンスを行う作業者や、油圧ショベルを操作するオペレータ（以下、作業者等という）は、燃料タンク１４及び作動油タンク１５の上面部や建屋１３の上面に昇って作業をすることがある。このために、燃料タンク１４の前方部に、この燃料タンク１４に昇り降りするための昇降部材が設けられている。
【００１９】
この昇降部材としては、足場となるステップやハンドレールなどがある。ステップは、図２及び図３に示すように、前記旋回体フレーム１０の前方側であって、前記掘削作業手段１１を挟んで前記運転室１２の反対側の位置に設けられている。最も低い位置のステップは第１のステップ２０で、この第１ステップ２０は前記燃料タンク１４の前部位置に配置した収納ボックス（工具箱）２１の前面板２１ｂに取り付けられている。次の第２のステップ２１ａは、前記収納ボックス２１の上面部に設けられている。また、前記燃料タンク１４の前面壁１４ｂには更に第３のステップ２２が設けられている。なお、ステップの数や構造は図２や図３に示したものに限るものではない。
【００２０】
燃料タンク１４に燃料補給をする場合や建屋１３の内部をメンテナンスする場合等においては、作業者等は燃料タンク１４の上部に昇ることになるが、その際には、まず履帯からなる走行手段１ａを構成する履帯の上に昇り、次いで第１ステップ２０、第２ステップ２１ａ（収納ボックス２１の上面板）、第３ステップ２２と順次昇ることによって、燃料タンク１４の上面板１４ａまで登ることができる。
【００２１】
３０はハンドレールで、作業者等が前記ステップを利用して燃料タンク１４に昇降する際の手すりとして用いられる。ハンドレール３０は作業者等が手で把持するのに好適な太さの丸棒状の中空パイプで構成される把持用ロッド部３０ａを有し、この把持用ロッド部３０ａは旋回体フレーム１０の前方において、上方に向けて延在して設けられており、且つ燃料タンク１４の方向に向けてなだらかに湾曲した形状となっている。このハンドレール３０の前記把持用ロッド部３０ａの上下両端側は曲げられて、前記旋回体フレーム１０に固定されている。
【００２２】
即ち、前記ハンドレール３０の上部側反転部３０ｂからは概略鉛直方向に向けられて、その端部は上端固定部３０ｃとなっている。この上端固定部３０ｃは、例えばパイプ状のハンドレール端部を潰して扁平化したり、或いはハンドレールの端部に平板状の取付板を溶接することで平坦部とし、この平坦部を前記燃料タンク１４の前面壁１４ｂにねじ座を介してねじ止めしたり、或いは前記平坦部を前記前面壁１４ｂの上部から内部下方に挿入して、前記前面壁１４ｂの内部側や他の強度部材にねじ座を介してねじ止めしている。
【００２３】
また、前記ハンドレール３０の下部側反転部３０ｄから基端側の部位は、図４及び図５に示すように、収納ボックス（工具箱）２１の前面板２１ｂを貫通して収納ボックス内部に延在している。下部側反転部３０ｄの基端側の部位は直線部３０ｅとなっている。ここで、収納ボックス２１の内部空間には、旋回体フレーム１０の強度部材としてのＤフレーム（断面Ｄ形状のサイドフレーム）１７が延在されている。このＤフレーム１７は旋回体フレーム１０の側端部に配置されて、前後方向に向けて延在されているものである。前記Ｄフレーム１７の内側に向く面は鉛直面１７ａとなっており、この鉛直面１７ａにはねじ座３１が溶接等の手段により固設されている。
【００２４】
前記収納ボックス２１内に延在されたハンドレール３０の直線部３０ｅの端部は、ハンドレール３０の前記上端固定部３０ｃと同様に、ハンドレール端部を潰して扁平化したり或いはハンドレールの端部に平板状の取付板を溶接して平坦部とし、この平坦部を前記ねじ座３１に止めねじ３２により固定して、下端固定部３０ｆとしている。
【００２５】
前記把持用ロッド部３０ａの下方の部位は前記収納ボックス２１と対面しており、この収納ボックス２１の下部側に位置する前面板２１ｂと所定の間隔を保った状態で曲成されて、下部側反転部３０ｄに移行する。この把持用ロッド部３０ａと収納ボックス２１の前面板２１ｂとの間隔は、少なくともその間に作業者等の手が容易に挿入できる程度の広さを持たせ、前記下部側反転部３０ｄへの移行部の直前までを把持用ロッド部３０ａとして機能させる。
【００２６】
前記ハンドレール３０の下端固定部３０ｆから下部側反転部３０ｄまでの部位は前記直線部３０ｅとなっていて、前記下端固定部３０ｆ側から下部側反転部３０ｄ側に向けて斜め下方に延在されている。これにより前記下部側反転部３０ｄの位置を低くできるから、作業者等が、上部旋回体２に装着したハンドレール３０を低い位置で把持することができるようになっている。
【００２７】
下端固定部３０ｆにおける止めねじ３２による固定部は、収納ボックス２１の内部に位置していることから、ハンドレール３０は収納ボックス２１の前面板２１ｂを貫通するようにして延在されている。このため、図５に示すように、前面板２１ｂには、ハンドレール３０を通過させるための貫通孔３３が穿設されている。前記前面板２１ｂは、上部旋回体２に美観を与えるため、前方に向けて立ち上がる方向に傾斜する形状（或いは曲面形状）に構成されている。
【００２８】
また、ハンドレール３０の前記直線部３０ｅの傾斜角は前記前面板２１ｂの傾斜角とほぼ一致させるように、つまり直線部３０ｅが前面板２１ｂと直交或いは概略直交するように構成している。これによって、ハンドレール３０を通過させる貫通孔３３は円形で最小限の大きさにすることができ、ハンドレール３０の前記貫通孔３３への挿入も容易に可能になる。
【００２９】
前記収納ボックス２１の前面板２１ｂに貫通孔３３を形成すると、内部に雨水等が浸入する可能性があるため、図５，図６に示すように、前記貫通孔３３に円環状のシール部材３４を装着し、前記ハンドレール３０をこのシール部材３４内に挿通させるようにしている。また、ハンドレール３０の前記直線部３０ｅを、前記収納ボックス２１の前面板２１ｂと直交或いは概略直交させているので、前記貫通孔３３の孔径とハンドレール３０の外径との間における径差を最小限にでき、これにより前記シール部材３４によるシール性能を向上することができる。
【００３０】
なお、ハンドレール３０の下端固定部３０ｆは扁平化したり、或いは平板状の取付板を設けて平坦部としているので、前記貫通孔３３の孔径はこの平坦部が通過できる開口径としなければならない。このために貫通孔３３の開口径はハンドレール３０の外径より大きくし、この貫通孔３３と前記ハンドレール３０との間は前記シール部材３４によりシールされている。
【００３１】
しかし、前記シール部材３４は、製造時の品質のバラつき、長期間の使用による劣化や硬化等により、前記シール部材３４と、前記ハンドレール３０との間や、前記貫通孔３３との間に隙間が発生して、十分な密閉機能を果たせなくなることがある。前記隙間が生じて十分な密閉機能を果たせなくなると、前記ハンドレール３０や、前記貫通孔３３を設けている貫通孔設置部材（前面板２１ｂ）を伝わって、雨水等が前記隙間から収納ボックス（工具箱）２１の内部に浸入するのを防止できなくなる。
【００３２】
そこで、本実施例では、図５，図６に示すように、前記ハンドレール（貫通部材）３０の前記貫通孔３３よりも外側の部分に鍔状部材（第１の雨水等浸入防止部材）３５をねずみ返しの要領で取り付け、また前記貫通孔３３を設けた前面板（貫通孔設置部材）２１ｂにも、前記貫通孔３３及び前記鍔状部材３５を上方から覆うように庇状部材（第２の雨水等浸入防止部材）３６が取り付けられている。
【００３３】
前記鍔状部材３５は、前記ハンドレール３０の前記貫通孔３３よりも外側の部分に取り付けられていることにより、ハンドレール３０を伝わって雨水等が前記貫通孔３３へ浸入するのを防止できる。即ち、この鍔状部材３５により、ハンドレール３０を伝わって雨水等が前記シール部材３４に到達するのを阻止できるから、ハンドレール３０とシール部材３４の隙間における密封機能が不十分な場合でも、ハンドレール３０を伝う雨水等が前記収納ボックス２１内に浸入するのを防ぐことができる。
【００３４】
なお、本実施例では、前記鍔状部材３５は円板状であり、前記ハンドレール３０の直線部３０ｅに溶接により固定しているが、必ずしも円板状のものに限定されるものではなく、四角形などの角形などにしても良く、更にハンドレール３０への固定も溶接に限られるものではない。
【００３５】
前記庇状部材３６は、前記貫通孔３３及び前記鍔状部材３５を上方から覆うように前記前面板２１ｂに取り付けられているので、前記前面板２１ｂを伝わって雨水等が前記貫通孔３３に浸入するのを防止することができる。即ち、前記前面板２１ｂを伝わって流れる雨水等が前記シール部材３４に到達するのを阻止できるから、ハンドレール３０とシール部材３４の隙間における密封機能が不十分な場合でも、前面板２１ｂを伝う雨水等が前記収納ボックス２１内に浸入するのを防ぐことができる。
【００３６】
なお、本実施例では、前記庇状部材３６は、収納ボックス２１の前面板２１ｂに形成した前記貫通孔３３の上方或いは周囲に溶接により固定されている。また、この実施例では、前記庇状部材３６を逆Ｕ字形としているが、円筒状（或いは円環状）などに構成したものでも良く、前記貫通孔３３及び前記鍔状部材３５を上方から覆って、前記前面板２１ｂを伝わって流れる雨水等が前記貫通孔３３側に流れるのを防止できるものであれば良い。
【００３７】
更に、本実施例では、前記鍔状部材３５を前記庇状部材３６の内側に設置した構成としているので、前記庇状部材３６の端部から落下する雨水等が前記鍔状部材３５よりも貫通孔３３側の前記ハンドレール３０表面に落下するのを防止できる。特に、本実施例では、前記庇状部材が、前方に傾斜した形状（前方に向けて立ち上がる方向に傾斜した形状）の前記前面板２１ｂに取り付けられているので、前記庇状部材３６の端部から落下する雨水等が前記貫通孔３３から内部に浸入するのをより確実に防止することができる。
【００３８】
従って、本実施例によれば、前記鍔状部材３５の機能及び前記庇状部材の機能により、前記シール部材３４の密封機能が不十分になってしまったような場合であっても、雨水等が前記貫通孔３３から収納ボックス（工具箱）２１内（上部旋回体内部）へ浸入するのを確実に防止することが可能となる。
【実施例２】
【００３９】
図７は本発明の建設機械の実施例２を示す図で、図３に相当する図、図８は図７の要部拡大図で、ミラー取付ステーの貫通部のみ断面で示す図である。これら図７及び図８により、本発明の実施例２を説明する。なお、図７及び図８において、前記図１〜図６と同一符号を付した部分は同一或いは相当する部分を示している。
【００４０】
上述した実施例１では、ハンドレール（貫通部材）３０下端側の直線部３ｅが収納ボックス２１の前面板２１ｂを貫通する貫通部に、本発明を適用した例について説明したが、本発明は、貫通部材としてはハンドレールに限られるものではなく、上部旋回体２の内外を貫通する貫通孔と、この貫通孔を貫通する貫通部材がある部分には同様に適用できるものである。
【００４１】
即ち、上記実施例１では、両端支持されているハンドレールに本発明を適用した場合について説明したが、本発明は両端支持の貫通部材には限られず、図７，図８に示すような下端部のみが固定された片持ち支持の貫通部材の部分にも、実施例１と同様の防水構造を施すことができるものである。以下、この実施例２では、貫通部材が片持ち支持となっているミラー取付ステー（貫通部材）４０の貫通部に本発明を適用して、ミラー取付ステーが貫通している貫通孔設置部材２１ｂの内部（上部旋回体の内部）への雨水等の浸入を防止するようにした例について説明する。
【００４２】
図７，図８において、３７は前記ミラー取付ステー４０の上端側に取り付けられたミラーである。前記ミラー取付ステー４０は、収納ボックス２１の前面板２１ｂに形成された貫通孔３３を貫通し、上記実施例１と同様に、旋回体フレーム１０のＤフレーム１７に、止めねじ３２で固定されている。ミラー取付ステー４０は、前記前面板２１ｂに取り付けることも可能であるが、前面板２１ｂは強度が小さいため、ミラー３７が振動して見難くなる。そこで、本実施例では前記ミラー取付ステー４０を、強度部材である前記Ｄフレーム１７に取り付け、ミラー３７の振動を抑制できるようにしている。このため、前記ミラー取付ステー４０は、前記前面板２１ｂを貫通するように取り付ける必要がある。
【００４３】
この貫通部の構造を図８により説明する。図８に示すミラー取付ステー４０の貫通部の構造は、図５，図６で説明した実施例１におけるハンドレールの貫通部の構造とほぼ同様の構成となっている。即ち、図８に示すように、ミラー取付ステー（貫通部材）４０は、収納ボックス２１の前面板２１ｂに形成された貫通孔３３を貫通して設置されている。また、ミラー取付ステー４０の前記貫通孔３３よりも外側の部分には鍔状部材（第１の雨水等浸入防止部材）３５が取り付けられており、更に前記貫通孔３３を設けた前面板（貫通孔設置部材）２１ｂには、前記貫通孔３３及び前記鍔状部材３５を上方から覆うように庇状部材（第２の雨水等浸入防止部材）３６が取り付けられている。
【００４４】
前記鍔状部材３５は、前記ミラー取付ステー（貫通部材）４０を伝わって雨水が前記貫通孔から上部旋回体内部へ浸入するのを防止するものであり、また前記庇状部材３６は、前記前面板（貫通孔設置部材）２１ｂを伝わって雨水が前記貫通孔３３から上部旋回体内部へ浸入するのを防止する機能を持つものである。
【００４５】
このように、本実施例２によれば、貫通部材が片持ち支持となっているミラー取付ステー（貫通部材）４０などが貫通している貫通部から上部旋回体内部へ雨水等が浸入するのを確実に防止することができる。また、本発明は、貫通部材の貫通部が斜め下方に延在されたものだけでなく、図８に示すように、貫通部材が水平になっている場合でも同様に適用できるものである。
【実施例３】
【００４６】
本発明の建設機械の実施例３を、図９を用いて説明する。図９はハンドレールの上端固定部付近の構成を示す断面図で、本発明は、ハンドレールの上端固定部のように、貫通部材（ハンドレール）が垂直上方に延在されている部分の貫通部に対しても同様に適用できるものである。なお、図９において、前記図１〜図８と同一符号を付した部分は同一或いは相当する部分を示している。以下、この実施例３を詳細に説明する。
【００４７】
上述したように、図９は図２や図３に示すハンドレール３０の上端固定部３０ｃ付近の構成を示している図で、ハンドレール（貫通部材）３０の上端固定部３０ｃ付近は鉛直方向（上下方向）或いは概略鉛直方向に延在されて、燃料タンク１４の上面板（貫通孔設置部材）１４ａに形成されている貫通孔３３を貫通している。また、その端部（上端固定部３０ｃ）は、パイプ状のハンドレール端部を潰して扁平化したり、或いはハンドレールの端部に平板状の取付板を溶接することで平坦部に形成されており、この平坦部を前記前面壁１４ａの内部側や他の強度部材にねじ座を介してねじ止めしている。
【００４８】
前記貫通孔３３は上部旋回体の内外を上下方向に貫通するように設けられており、この貫通孔３３にはシール部材３４が装着され、前記ハンドレール３０はこのシール部材３４内に挿通されている。３８は、前記ハンドレール（貫通部材）３０の前記貫通孔３３よりも上方の部分に取り付けられると共に前記貫通孔３３を覆うように設けられた鍔状部材（第１の雨水等浸入防止部材）、３９は、前記貫通孔３３の上部側周囲を囲むように、この貫通孔３３を設けた貫通孔設置部材（上面板）１４ａに取り付けられ、且つ前記鍔状部材３８に上方が覆われるように構成されたリング状部材（第２の雨水等浸入防止部材）である。
【００４９】
このように構成することにより、貫通部材（ハンドレール３０など）が鉛直方向に貫通する場合でも、上下方向に貫通する貫通孔３３から雨水等が上部旋回体の内部に浸入するのを確実に防止することができる。即ち、貫通部材を伝わって前記貫通孔３３側に流れようとする雨水等は前記鍔状部材３８により阻止され、また前記貫通孔３３を形成している貫通孔設置部材（上面板１４ａなど）を伝わって前記貫通孔３３側に流れようとする雨水等は前記リング状部材３９により阻止されるから、前記貫通孔３３から雨水等が上部旋回体の内部に浸入するのを確実に防止することができる。
【００５０】
以上説明したように、上述した本発明の各実施例によれば、シール部材３４のみに頼らず、貫通部材（ハンドレール３０など）の貫通部から、雨水等が上部旋回体２の内部に浸入するのを防止する構造、即ち前記貫通部材の前記貫通孔３３よりも外側の部分に取り付けられ該貫通部材を伝わって雨水が前記貫通孔３３から内部へ浸入するのを防止する第１の雨水等浸入防止部材（鍔状部材３５或いは３８）と、前記貫通孔３３を設けた貫通孔設置部材に取り付けられ該貫通孔設置部材を伝わって雨水が前記貫通孔３３から内部へ浸入するのを防止する第２の雨水等浸入防止部材（庇状部材３６或いはリング状部材３９）とを備えているので、前記シール部材３４の劣化などにより、このシール部材３４と前記貫通孔３３との間に隙間が発生してしまったような場合であっても、前記貫通部材が貫通している貫通孔３３から上部旋回体２内部に雨水等が浸入するのを確実に防止することができる。
【００５１】
従って、例えば、ハンドレール３０や収納ボックス２１の前面板２１ｂなどを伝わって雨水等が、前記前面板２１ｂなどに形成された貫通孔３３から収納ボックス２１内に浸入するのを防止することができ、この結果前記収納ボックス２１内に保管されている工具などの物品を雨水等から保護することができる効果が得られる。
【００５２】
なお、上述した各実施例では何れも、建設機械が油圧ショベルである場合の例について説明したが、本発明は油圧ショベルに限定されるものではなく、下部走行体の上に上部旋回体を持たずに建屋のみが設けられている建設機械に対しても同様に実施することが可能である。即ち、下部走行体の上に設けられた建屋と、この建屋の内外を貫通する貫通孔と、この貫通孔を貫通して設けられた貫通部材を有する建設機械であれば、本発明を実施することは同様に可能である。
【符号の説明】
【００５３】
１：下部走行体、１ａ：走行手段、
２：上部旋回体、１０：旋回体フレーム、
１１：作業手段、１２：運転室、１３建屋、
１４：燃料タンク、１４ａ：上面板（貫通孔設置部材）、１４ｂ：前面壁、
１５：作動油タンク、１６：カウンタウエイト、
１７：Ｄフレーム、１７ａ：鉛直面、
２０：第１のステップ、
２１：収納ボックス（エ具箱）、
２１ａ：上面板（第２のステップ）、２１ｂ：前面板（貫通孔設置部材）、
２２：第３のステップ、
３０：ハンドレール、３０ａ：把持用ロッド部、３０ｂ：上部側反転部、
３０ｃ：上端固定部、３０ｄ：下部側反転部、３０ｅ：直線部、３０ｆ：下端固定部、
３１：ねじ座、３２：止めねじ、
３３：貫通孔、３４：シール部材、
３５，３８：鍔状部材（第１の雨水等浸入防止部材）、
３６：庇状部材（第２の雨水等浸入防止部材）、
３７：ミラー、３９：リング状部材（第２の雨水等浸入防止部材）、
４０：ミラー取付ステー。
【図１】
2013147800.tif 000003
【図２】
2013147800.tif 000004
【図３】
2013147800.tif 000005
【図４】
2013147800.tif 000006
【図５】
2013147800.tif 000007
【図６】
2013147800.tif 000008
【図７】
2013147800.tif 000009
【図８】
2013147800.tif 000010
【図９】
2013147800.tif 000011